(57)【特許請求の範囲】
【請求項１】
調理庫（１）と、フレームベースと、前記フレームベース内に設けられてたマイクロ波発生ユニット（２）と、制御ユニット（３）とを備えた円弧状電子レンジであって、
前記フレームベースは、組立実装された下部ベース（５）と、後部ベース（６）とを備えており、
前記調理庫は、前記下部ベースと前記後部ベースと、レンジドア（７）とで囲まれた空間に設けられ、
前記レンジドアは、フード状で且つマイクロ波シールド装置が設けられており、
前記マイクロ波発生ユニット及び制御ユニットは、操作／表示ユニット（４）と電気的に接続されており、
前記レンジドア（７）は、外側から内側の順に設けられたアウターフード（７１）、マイクロ波シールド（７２）、インナーフード（７３）、及びフレーム（７４）を備え、
前記フレームは、角度をなして連結されている第１のフレーム部材（７４１）と、第２のフレーム部材（７４２）とを備えており、
前記アウターフード、前記マイクロ波シールド及び前記インナーフードは、前記フレームを介して一体に組付けられていると共に、前記フレーム上にはチョーク溝が設けられており、
前記インナーフード（７３）上には突出縁（７３１、７３１'）が設けられていると共に、前記突出縁を介して前記フレーム（７４）の組付け溝（７４３）及び／又は組付け縁（７４４）に嵌設及び／又は圧接されていることを特徴とする円弧状電子レンジ。
【請求項２】
前記レンジドア（７）は、前記後部ベース（６）と可動的に連結されており、前記下部ベース（５）及び後部ベースに対して跳ね上げるように上下開閉可能に設けられ、丸みを帯びたフード状をなしていることを特徴とする請求項１記載の円弧状電子レンジ。
【請求項３】
前記第１のフレーム部材（７４１）及び前記第２のフレーム部材（７４２）は一体に形成又は分割して形成されており、
第１のフレーム部材及び第２のフレーム部材はＵ字状、アーチ状、半円状又は楕円状をなしていることを特徴とする請求項１記載の円弧状電子レンジ。
【請求項４】
前記マイクロ波シールド（７２）上には第1及び第２の折り返し縁（７２１、７２１’）が設けられており、前記第1の折り返し縁（７２１）は第１の圧着リング（７７１）を介して前記第１のフレーム部材（７４１）上に圧接されており、
前記第２の折り返し縁（７２１’）は第２の圧着リング（７７２）を介して前記第２のフレーム部材（７４２）上に圧接されていることを特徴とする請求項３記載の円弧状電子レンジ。
【請求項５】
前記マイクロ波シールド（７２）はヘルメット状であって、かつその断面はＵ字状、アーチ状、半円状又は楕円状をなしており、
前記アウターフード（７１）及び前記インナーフード（７３）は前記マイクロ波シールドにマッチングする形状をなしており、
前記マイクロ波シールドの表面には六角形メッシュが複数設けられていることを特徴とする請求項４記載の円弧状電子レンジ。
【請求項６】
前記アウターフード（７１）は、前記フレーム（７４）を覆うように設けられており、前記アウターフード上には窓（７１１）が設けられていることを特徴とする請求項３記載の円弧状電子レンジ。
【請求項７】
前記窓（７１１）の外側には、前記窓の外側に嵌着されている組付け枠体（７１２）が更に設けられていることを特徴とする請求項６記載の円弧状電子レンジ。
【請求項８】
前記アウターフード（７１）は、更に、前記アウターフードの後側に配置されて設けられる化粧カバー（７８）に連結されている、
及び／又は、前記アウターフードは更に、前記アウターフードの底部に配置されて設けられる化粧板（７９）に連結されていることを特徴とする請求項６記載の円弧状電子レンジ。
【請求項９】
前記化粧カバー（７８）及び／又は前記化粧板（７９）上には前記フレーム（７４）上に設けられた係止位置に係止される係止ツメが設けられており、前記アウターフード（７１）は前記化粧カバー及び／又は前記化粧板を介して前記フレーム上に挟持され固定されていることを特徴とする請求項８記載の円弧状電子レンジ。
【請求項１０】
前記下部ベース（５）は、下部筐体（５１）と下部筐体（５１）の上部に水平に設けられている下部テーブル（５２）とを備えており、
前記後部ベース（６）は、下部ベース（５）の後端に設けられており、
前記後部ベースは、前記下部テーブル上に立設されている後部プレート（６１）と、前記下部ベース上に設置されるとともに後部プレート（６１）に係合する後部筐体（６２）とを備えていることを特徴とする請求項１乃至９のいずれか一項記載の円弧状電子レンジ。
【請求項１１】
前記下部ベース（５）及び後部ベース（６）は、面取りされた略長方形であり、前記レンジドア（７）はヘルメット状であることを特徴とする請求項１乃至１０のいずれか一項記載の円弧状電子レンジ。
【請求項１２】
前記マイクロ波発生ユニット（２）及び制御ユニット（３）は下部ベース（５）内に設けられている、又はマイクロ波発生ユニット及び制御ユニットは後部ベース（６）内に設けられている、又はマイクロ波発生ユニット及び制御ユニットはそれぞれ下部ベース及び後部ベース内に設けられていることを特徴とする請求項１乃至１１のいずれか一項記載の円弧状電子レンジ。
【請求項１３】
前記操作／表示ユニット（４）は下部ベース（５）の立設面上に設けられていることを特徴とする請求項１乃至１２のいずれか一項記載の円弧状電子レンジ。
【請求項１４】
前記下部ベース（５）の前端又は周辺には外向きに延出している突出部又は突出縁（５３）が設けられており、操作／表示ユニット（４）は突出部又は突出縁上に設けられていることを特徴とする請求項１乃至１２のいずれか一項記載の円弧状電子レンジ。
【請求項１５】
前記操作／表示ユニット（４）がレンジドア（７）上に設けられていることを特徴とする請求項１乃至１２のいずれか一項記載の円弧状電子レンジ。
【発明の詳細な説明】
【技術分野】
【０００１】
本発明は円弧状電子レンジに関する。
【背景技術】
【０００２】
従来の電子レンジは、その本体は大抵箱形であって、箱形の調理庫と、板状のドアと、調理庫の一方側に位置する電器室とを備えており、加熱庫は金属で包み込むように形成されており、マグネトロンが加熱庫の側面に配置され、マグネトロンは加熱庫の側面から加熱庫内にマイクロ波を出射するようになっている。このような構造の電子レンジは箱形形状という制限により、調理庫の利用効率は高くない上、電子レンジ全体のサイズを考えると大型化するのは望ましくないことから、調理庫の大きさも制限を受けるのみならず、ドアは調理庫の前方に設けられることから、食物の出し入れ、及び清掃のいずれにおいても非常に不便であった。
【０００３】
特許文献１には、ハウジングと、窓部と、窓部を遮蔽するドアと、ドア上のハンドルとを備えており、ハウジング及びその内壁の形状が半球状となっている電子レンジが開示されており、該電子レンジでは空間を節約するものの、マイクロ波を遮蔽する問題を考慮して複数のカバーを採用したことで製造の難度が高くなってしまっている。よって、上記構造は更なる改善が必要になっている。
【０００４】
発明者は特許文献２で、フレームベースと、マイクロ波発生ユニットと、調理庫とを備えた電子レンジを開示している。調理庫はフレームベース上に設けられている支持機構及びマイクロ波シールドで囲まれた空間に設けられており、マイクロ波シールドはフレームベース及び／又は支持機構に対して開閉可能となっている。支持機構はフレームベース上面に設けられているカバーを備えており、カバーは平板状、ディスク状又は鍋状となしており、表面にはマイクロ波出射領域に対応してマイクロ波透過孔が設けられている。この電子レンジの調理庫は食物を置く支持機構及びマイクロ波シールドにより直接構成されており、下方は内部にマイクロ波発生ユニットが設けられているフレームベースであり、マイクロ波発生ユニットが発生したマイクロ波は下から上向きに調理庫に出射されて、調理庫内の物体を加熱するものであって、従来の電子レンジにおける設計に飛躍をもたらしている。ところが上記構造では複数のマイクロ波伝搬に対応できないことから、更なる改善及び完備が必要になっている。
【先行技術文献】
【特許文献】
【０００５】
【特許文献１】中国実用新案公告第２８９８６６１号明細書
【特許文献２】中国実用新案公告第２０１３８２４６２号明細書
【発明の概要】
【発明が解決しようとする課題】
【０００６】
本発明の目的は、構造が合理的で、技術的に簡単で、製造コストが低く、安全性が高く、清掃しやすく、マイクロ波の漏れを効果的に防止しかつ調理庫の利用効率を大幅に向上させることで、従来技術における不足を克服する円弧状電子レンジを提供するところにある。
【課題を解決するための手段】
【０００７】
この目的により設計された円弧状電子レンジは、調理庫と、フレームベースと、フレームベース内に設けられているマイクロ波発生ユニットと、制御ユニットとを備えており、その構造は、フレームベースが組立実装された下部ベースと、後部ベースとを備えており、調理庫は下部ベース、後部ベース、レンジドアで囲まれた空間に設けられており、レンジドアはフード状で且つマイクロ波シールド装置が設けられており、前記マイクロ波発生ユニット及び制御ユニットは操作／表示ユニットと電気的に接続されていることを特徴とする。
【０００８】
前記レンジドアは後部ベースに可動的に連結されており、レンジドアは下部ベース及び後部ベースに対して跳ね上げるように上下開閉可能に設けられており、レンジドアは丸みを帯びたフード状をなしている。
【０００９】
前記レンジドアは外側から内側の順に設けられたアウターフードと、マイクロ波シールドと、インナーフードと、フレームとを備えており、前記フレームは角度をなして連結されている第１のフレーム部材と、第２のフレーム部材とを備えており、アウターフード、マイクロ波シールド及びインナーフードはフレームを介して一体に組付けられており、フレーム上にはチョーク溝が設けられている。
【００１０】
前記第１のフレーム部材及び第２のフレーム部材は一体に形成又は分割して形成されており、第１のフレーム部材及び第２のフレーム部材はＵ字状、アーチ状、半円状又は楕円状をなしている。
【００１１】
前記インナーフード上には突出縁が設けられており、インナーフードは前記突出縁を介してフレームの組付け溝及び／又は組付け縁に嵌設及び／又は圧接されている。
【００１２】
前記マイクロ波シールド上には折り返し縁が設けられており、前記折り返し縁は第１の圧着リングを介して第１のフレーム部材上に圧接されており、前記折り返し縁は第２の圧着リングを介して第２のフレーム部材上に圧接されている。
【００１３】
前記マイクロ波シールドはヘルメット状をなしており、マイクロ波シールドの断面はＵ字状、アーチ状、半円状又は楕円状をなしており、アウターフード及びインナーフードはマイクロ波シールドにマッチングする形状をなしており、マイクロ波シールドの表面には六角形メッシュが複数設けられている。
【００１４】
前記アウターフードはフレームを覆うように設けられており、アウターフード上には窓が設けられている。
【００１５】
前記窓の外側には、窓の外側に嵌着されている組付け枠体が更に設けられている。
【００１６】
前記アウターフードは更に、アウターフードの後側に配置されている化粧カバーに連結されている、及び／又は、アウターフードは更に、アウターフードの底部に配置されている化粧板に連結されている。
【００１７】
前記化粧カバー及び／又は化粧板上にはフレーム上に設けられた係止位置に係止される係止ツメが設けられており、アウターフードは化粧カバー及び／又は化粧板を介してフレーム上に挟持され固定されている。
【００１８】
前記下部ベースは下部筐体と、下部筐体の上部に水平に設けられている下部テーブルとを備えており、後部ベースは下部ベースの後端に設けられており、後部ベースは、下部テーブル上に立設されている後部プレートと、下部ベース上に設置されるとともに後部プレートに係合する後部筐体とを備えている。前記下部ベース及び後部ベースは面取りされた略長方形であり、レンジドアはヘルメット状である。
【００１９】
前記マイクロ波発生ユニット及び制御ユニットは下部ベース内に設けられている、又はマイクロ波発生ユニット及び制御ユニットは後部ベース内に設けられている、又はマイクロ波発生ユニット及び制御ユニットはそれぞれ下部ベース及び後部ベース内に設けられている。
【００２０】
前記操作／表示ユニットは下部ベースの側面上に設けられており、操作／表示ユニットは下部ベースの表面に突出又は表面から窪んでいる。
【００２１】
前記下部ベースの前端又は両側には外向きに延出している突出部又は突出縁が設けられており、前記操作／表示ユニットは下部ベースの立設面上に設けられている。
【００２２】
前記下部ベースの前端又は周辺には外向きに延出している突出部又は突出縁が設けられており、前記操作／表示ユニットは突出部又は突出縁上に設けられている。前記操作／表示ユニットがレンジドア上に設けられているところである。
【発明の効果】
【００２３】
本発明はＬ字状をなす複数のフレームとＵ字状のマイクロ波シールドとを合せて使用することで、レンジドア又はレンジドアとフレームとの間の隙間から漏れたマイクロ波がマイクロ波シールドにぶつかった後に電子レンジの調理庫に戻るようにすることで、使用者に害をもたらすことはなく、電子レンジが人体に対して放射する電磁波を効果的に低減することができる。
【００２４】
本発明におけるアウターフードの断面には、Ｕ字状構造をなす横断面及び縦断面が含まれることから、電子レンジの調理庫を最大化することで、熱効率を向上することができる。そして圧着リングが第１の圧着リングと第２の圧着リングとを備えることで、マイクロ波シールドの強度を高めると同時に、効果的に固定することができる。さらに、インナーフードの油汚れ防止機能により、更には電子レンジを効果的に清潔に保つことができる。
【００２５】
本発明の調理庫は主にシールド部材を増設したフード状レンジドアで囲まれることから、調理庫でマイクロ波を使用する均一性を保証し、調理庫の利用効率が高められ、調理庫の容積を増やすことができる。また、レンジドアは跳ね上げるように上下で開閉するため、食物の出し入れ及び清掃が便利になる。マイクロ波発生ユニット及び制御ユニットの配置は合理的で、これにより構造が簡単でコンパクトとなることで、マイクロ波発生ユニットから発生したマイクロ波を下から上乃至後ろから前にむけて調理庫に出射するように制御してマイクロ波の伝搬過程における減衰を抑えることができる。
【００２６】
同時に、レンジドア又は下部ベースに操作／表示ユニットを増設したことで、製造及び組立がしやすく、レンジドア又は下部ベースと調和し、美観にも優れる。ボタン押下操作、又は音声操作、又はタッチ操作は操作性が自由で自然となり、人に優しい設計を実現し、ボタン操作の感触にも優れている。
【００２７】
また、本発明は構造が簡単で合理的で、製造コストが低く、安全性が高く、熱効率が高く、マイクロ波の漏れを効果的に防止するという特長を備えている。
【図面の簡単な説明】
【００２８】
【図１】本発明の実施形態１の立体構造概略図。
【図２】実施形態２の立体構造概略図。
【図３】実施形態３の立体構造概略図。
【図４】図１の分解構造概略図。
【図５】本発明の実施形態１に基づくドアの分解構造概略図。
【図６】本発明の実施形態１に基づくドアの組付け後の主な視点の構造概略図。
【図７】図６の左側構造概略図。
【図８】図６におけるＡ−Ａ向きで見た断面構造概略図。
【図９】図６におけるＢ−Ｂ向きの構造概略図。
【発明を実施するための形態】
【００２９】
以下図面及び実施例を合せて本発明を詳細に説明する。
【００３０】
（実施形態１）
図１及び図４〜９を参照する。円弧状電子レンジは調理庫１と、フレームベースと、フレームベース内に設けられているマイクロ波発生ユニット２と、制御ユニット３とを備えており、フレームベースは組立実装された下部ベース５と、後部ベース６とを備えており、調理庫１は下部ベース５、後部ベース６、レンジドア７で囲まれた空間に設けられており、レンジドア７はフード状で且つマイクロ波シールド装置が設けられている。マイクロ波発生ユニット２及び制御ユニット３はそれぞれ操作／表示ユニット４と電気的に接続されている。
【００３１】
レンジドア７は後部ベース６に可動的に連結されており、レンジドア７は下部ベース５及び後部ベース６に対して跳ね上げるように上下開閉可能に設けられており、レンジドア７は丸みを帯びたフード状をなしている。
【００３２】
図５〜９を参照する。本電子レンジのレンジドア７は外側から内側の順に設けられたアウターフード７１と、マイクロ波シールド７２と、インナーフード７３とを備えており、またさらにフレーム７４を備えており、アウターフード７１、マイクロ波シールド７２及びインナーフード７３はフレーム７４を介して一体に組付けられており、フレーム７４上にはチョーク溝７５が設けられており、フレーム７４がＬ字状をなしている。
【００３３】
このうち、フレーム７４は角度をなして連結されている第１のフレーム部材７４１と、第２のフレーム部材７４２とを備えている。第１のフレーム部材７４１及び第２のフレーム部材７４２は一体に形成又は分割して形成されている。第１のフレーム部材７４１及び第２のフレーム部材７４２はＵ字状、アーチ状、半円状又は楕円状をなしている。
【００３４】
マイクロ波シールド７２上には折り返し縁７２１が設けられており、マイクロ波シールド７２は折り返し縁７２１を介してフレーム７４上に圧接されている。インナーフード７３上には突出縁７３１が設けられており、インナーフード７３は突出縁７３１、７３１’を介してフレーム７４上に嵌設されている。フレーム７４上には組付け溝７４３及び／又は組付け縁７４４が設けられている。インナーフード７３は前記突出縁を介してフレーム７４の組付け溝７４３及び／又は組付け縁７４４に嵌設及び／又は圧接されている。
【００３５】
本実施例においては、必要に応じて組付け溝７４３をフレーム７４の内側に設けて、組付け縁７４４をフレーム７４の外側に設けてもよい。
【００３６】
マイクロ波シールド７２はヘルメット状をなしている。マイクロ波シールド７２の断面はインナーフード７３の断面と組み合わさるＵ字状、アーチ状、半円状又は楕円状をなしている。マイクロ波シールド７２の表面には六角形メッシュが複数設けられている。
【００３７】
マイクロ波シールド７２上には、これと一体で設けられている第１の圧着リング７７１が設けられており、該第１の圧着リング７７１はマイクロ波シールド７２の折り返し縁７２１、７２１’上に圧接されており、折り返し縁７２１は第１の圧着リング７７１を介して第１のフレーム部材７４１上に圧接されている。前記折り返し縁７２１’は第２の圧着リング７７２を介して第２のフレーム部材７４２上に圧接されている。
【００３８】
アウターフード７１はフレーム７４を覆うように設けられており、アウターフード７１の断面はＵ字状をなしている。アウターフード７１上には窓７１１が設けられている。窓７１１の外側には、窓７１１の外側に嵌着されている組付け枠体７１２が更に設けられている。
【００３９】
本実施例においては、アウターフード７１は更に、アウターフード７１の後側に配置されている化粧カバー７８に連結されている、及び／又は、アウターフード７１は更に、アウターフード７１の底部に配置されている化粧板７９に連結されている。化粧カバー７８及び／又は化粧板７９上にはフレーム７４上に設けられた係止位置に係止される係止ツメが設けられており、アウターフード７１は化粧カバー７８及び／又は化粧板７９を介してフレーム７４上に挟持され固定されている。
【００４０】
下部ベース５は下部筐体５１と、下部筐体５１の上部に水平に設けられている下部テーブル５２とを備えている。後部ベース６は下部ベース５の後端に設けられており、後部ベース６は、下部テーブル５２上に立設されている後部プレート６１と、下部ベース５上に設置されるとともに後部プレート６１に係合する後部筐体６２とを備えている。下部ベース５及び後部ベース６は面取りされた略長方形であり、レンジドア７はヘルメット状である。
【００４１】
マイクロ波発生ユニット２は後部ベース６内に設けられ、制御ユニット３は下部ベース５内に設けられている。下部ベース５の前端又は周辺には外向きに延出している突出部又は突出縁５３が設けられており、操作／表示ユニット４は突出部又は突出縁５３上に設けられている。
【００４２】
（実施形態２）
図２を参照する。本実施例と実施形態１との相違点は、操作／表示ユニット４がレンジドア７上に設けられているところである。その他記述していない部分は実施形態１と同じである。
【００４３】
（実施形態３）
図３を参照する。本実施例と実施形態１との相違点は、操作／表示ユニット４が下部ベース５の立設面上に設けられている。その他記述していない部分は実施形態１と同じである。
【００４４】
本発明は上記実施例に限定されず、本発明の実質的な内容に基づいてなされた変化、改造、増加又は置換もまた本発明の保護範囲に含まれる。
【符号の説明】
【００４５】
１  調理庫
２  マイクロ波発生ユニット
３  制御ユニット
４  操作／表示ユニット
５  下部ベース
５１  下部筐体
５２  下部テーブル
５３  突出部又は突出縁
６  後部ベース
６１  後部プレート
６２  後部筐体
７  レンジドア
７１  アウターフード
７１１  窓
７１２  組付け枠体
７２  マイクロ波シールド
７２１、７２１’  折り返し縁
７３  インナーフード
７３１、７３１’  突出縁
７４  フレーム
７４１  第１のフレーム部材
７４２  第２のフレーム部材
７４３  組付け溝
７４４  組付け縁
７５  チョーク溝
７７１  第１の圧着リング
７７２  第２の圧着リング
７８  化粧カバー
７９  化粧板
【図１】
0005948502.tif 000002
【図２】
0005948502.tif 000003
【図３】
0005948502.tif 000004
【図４】
0005948502.tif 000005
【図５】
0005948502.tif 000006
【図６】
0005948502.tif 000007
【図７】
0005948502.tif 000008
【図８】
0005948502.tif 000009
【図９】
0005948502.tif 000010